(57)【要約】      （修正有）【課題】会社や団体が前印刷された印刷用紙を購入して、その後、自分達でパソコンとプリンタを用いて位置合わせした後印刷ができる名刺印刷用紙を提供する。【解決手段】名刺になる複数枚のカード部２が、後に取り外されて破棄される非印刷部３で区切られた前印刷がされた名刺印刷用紙１Ａであり、この前印刷には、後印刷した位置合わせの確認マークと対比するための黒色を除くカラー色の縦線と横線がある基準マーク７Ａ，７Ｂが含まれている。【選択図】図１
0003215108.tif 000002
【実用新案登録請求の範囲】
【請求項１】
名刺を作成するための複数枚のカード部と、後に取外されて破棄される非印刷部とを有する名刺印刷用紙であって、
前記各カード部は、会社又は団体のマーク、社名又は団体名、外部機関の認証マーク等のいずれかを含む前印刷内容が印刷済みの前印刷済み領域と、後にパソコンとプリンタを使用して社員又は団体の構成員についての所属、役職名、氏名等のいずれかを含む後印刷内容を後印刷するための空白部分からなる後印刷予定領域とを有し、
該非印刷部内の上下に大きく間隔を設けた複数個所には、この後印刷と同時に該非印刷部内に後印刷した位置合わせの確認マークと重ね合わせて見比べて後印刷した印刷に位置ズレ及び傾きの有無と程度を確認するための、非黒系のカラー色細線による約６×６ｍｍの白抜き正方形の基準マークが前印刷されていることを特徴とする名刺印刷用紙。
【請求項２】
前記非印刷部の裏面の上下に大きく間隔を設けた複数個所にも、前記基準マークと同様の基準マークが前印刷されている、請求項１に記載の名刺印刷用紙。
【考案の詳細な説明】
【技術分野】
【０００１】  本考案は、プレ印刷された名刺印刷用紙に関し、この名刺印刷用紙を左右に２分する非印刷部には、パソコンとプリンタを用いた後印刷による位置合わせのための確認マークと重ね合わせる基準マークが前印刷されている。
【背景技術】
【０００２】  社員の名刺は印刷会社が作成するものという考えが古くからあり、現在も殆どの会社は、社員の名刺を印刷会社に発注している。
一方、現在ではパソコンとプリンタを用いて個人が自分の名刺をデザインし、レイアウトして印刷することが簡単に出来るようになっており、このためのＡ４判の名刺印刷用紙も数多くの種類が市販されている。【０００３】  パソコンとプリンタを用いて名刺を印刷する方法は、その場で名刺が出来上がるために名刺が無くなったときの対応が即座に出来る利点と、少ない枚数の名刺で足りる場合には必要枚数を印刷すれば済むために経済的であるという利点がある。【０００４】  社員の名刺には、会社のマーク、社名、会社所在地、会社の電話番号、会社のホームページアドレス、会社のメールアドレス、各種認証マークなどの各社員に共通の会社内容と、社員の氏名、所属部名、役職名、携帯電話番号などの社員ごとに異なる社員内容が印刷されている。【０００５】  社員の名刺には、これら多くの内容が印刷されるため、印刷される一部の内容の文字は小さいのが通常である。このため、一般個人が用いるパソコンに入力されている文字フォントでは対応出来な場合がある。また、印刷する内容のレイアウトも精緻になっているが、これについても、一般個人が使用するパソコンでは対応出来ないのが通常である。
とくに品質及び環境の各種認証マークは、拡大鏡を用いなければ判読できないほどの小さな文字と精緻なマークが含まれている。インターネットを経由してこのマークのデータをパソコン上に取得すれば、これを名刺に印刷することが出来るが、印刷する位置のレイアウトが簡単でない。
また、名刺を一般のパソコンとプリンタを用いて印刷する場合、正しい位置に印刷されているかどうかの位置合わせの確認をする必要がある。とくに印刷すの内容量が多くなると、精緻な印刷をしなければ目立つ。
会社のマークの箔押し、型押しになると、印刷会社等が所有する専用の機械装置が必要になる。
このため、印刷会社が印刷した名刺と、一般人がパソコンとプリンタを用いて印刷した名刺とは、品質に大きな差がある。
【考案が解決しようとする課題】
【０００６】  本考案は、上述した利点を生かしつつ、印刷の品質が高い名刺にするための名刺印刷用紙にすることにある。
【課題を解決するための手段】
【０００７】  請求項１に係る名刺印刷用紙は、次の構成を備える。
（１）名刺を作成するための複数枚のカード部と、後に取外されて破棄される非印刷部とを有する名刺印刷用紙である。
（２）前記各カード部は、会社又は団体のマーク、社名又は団体名、外部機関の認証マーク等のいずれかを含む前印刷内容が印刷済みの前印刷済み領域と、後にパソコンとプリンタを使用して社員又は団体の構成員についての所属、役職名、氏名等のいずれかを含む後印刷内容を後印刷するための空白部分からなる後印刷予定領域とを有する。
（３）該非印刷部内の上下に大きく間隔を設けた複数個所には、この後印刷と同時に該非印刷部内に後印刷した位置合わせの確認マークと重ね合わせて見比べて後印刷した印刷に位置ズレ及び傾きの有無と程度を確認するための、非黒系のカラー色細線による約６×６ｍｍの白抜き正方形の基準マークが前印刷されている。
【０００８】  請求項２に係る名刺印刷用紙は、次の構成を備える。
（１）請求項１に記載の構成を備える。
（２）前記基準マークと前記確認マークは、いずれも細線による前記非印刷部にプレ印刷できる大きさを有する正方形である。
【考案の効果】
【０００９】  本考案に係る名刺印刷用紙によれば、パソコンとプリンタを用いた印刷では奇麗に印刷できない印刷内容を、前印刷した名刺印刷用紙に印刷することで、その後の簡単な印刷はパソコンとプリンタを用いて印刷することができる。ときに、この名刺印刷用紙には前印刷による基準マークが印刷されているため、後印刷による位置合わせの確認のための確認マークと重ね合わせて正しく印刷されているかを、正確且つ容易に確認することができる。
【考案を実施するための形態】
【００１０】  本考案の好適なる実施形態を以下の図面に沿って詳述する。請求項１に対応した図はである。請求項２に対応した図はである。
【図面の簡単な説明】
【００１１】
【図１】本考案の１実施形態に係る前印刷がされた名刺印刷用紙の表面図。
【図２】同じくその裏面図。
【図３】（ａ）及び（ｂ）は、いずれも図１の一部拡大図。
【図４】（ａ）及び（ｂ）は、いずれも図２の一部拡大図。
【図５】さらに後印刷がされた名刺印刷用紙の表面図。
【図６】後印刷に位置合わせが正確にされた状態を基準マークと確認マークといよって示した要部拡大図。
【図７】（ａ）は後印刷の位置合わせに問題があるある状態を示す図、（ｂ）はその要部拡大図。
【図８】（ａ）は後印刷の傾きに問題があるある状態を示す図、（ｂ）はその要部拡大図。
【図９】全ての印刷後にスクラップ部と名刺に切り外した状態を示す斜視図。
【実施例】
【００１２】［名刺印刷用紙１Ａの表面］
図１に示す実施形態に係る名刺印刷用紙１Ａは、１０枚の名刺になるカード部２，２・・と、非印刷部３とが、切り外し前の状態にある１枚のＡ４サイズ用紙である。非印刷部３は、スクラップ部とも呼ばれている。破線で示す切り外し部６は、例えばミシン目であり、または、ミシン目よりも切断線が長い形状である。切り外し部６は従来から市販されている名刺印刷用紙にも設けられている。切り外し部６は前印刷によって名刺印刷用紙１Ａに設けられた切り外し位置マーク１１の上端縁に位置合わせされて設けられている。【００１３】  各カード部２，２・・の表面には、仮想枠線で区分けされた前印刷領域４と、後印刷領域５とがあり、前印刷領域５には、会社のマークと、会社名と、ホームページアドレス等を含む前印刷内容が前印刷されている。後印刷領域５は、後にパソコンとプリンタを用いて社員の氏名等を含む後印刷内容を印刷するための空白部分である。
以上の具体的な印刷内容の他、何を前印刷内容或いは後印刷内容に含めるのかについては、依頼者の指示によって決められる。
ここにいう「前印刷」とは、印刷会社による印刷をいう。「前印刷内容」とは印刷会社によって印刷された内容であり、前印刷内容は名刺印刷用紙１Ａを顧客に提供するときに既に印刷されている。
このため、印刷会社が顧客に納品する名刺印刷用紙１Ａは、会社又は団体に固有の特定内容を印刷（前印刷）し、トムソン機によって切り外し部６を設けたＡ４版の名刺用紙であり、後印刷領域５は空白になっている。【００１４】［名刺印刷用紙１Ａの裏面］
図２に示すように、各カード部２，２・・の表面には、複数の環境団体の認証マーク、事業内容、設備内容、サーバーの種類が、前印刷によって既に印刷されている。【００１５】［印刷レイアウトと印刷内容の変更］
図１及び図２に示す名刺印刷用紙１Ａに前印刷した内容は、顧客を出願人として想定した内容が例示されている。名刺印刷用紙１Ａに印刷する内容は顧客ごとに異なる。図１に示す前印刷領域４と後印刷領域５のレイアウトも、顧客の指示によって異なる。会社及び団体の住所、電話番号、ファクシミリ番号等を前印刷する内容に含めることも可能である。【００１６】［表面側の基準マーク７Ａ，７Ｂと、裏面側の基準マーク８Ａ，８Ｂ］
図１及び図２に示すように、非印刷部３は、カード部２，２・・の全体を囲む部分とその内側に位置する縦中央部分３ａとを有する。カード部２，２・・は楯中央部分３ａによって左右各一列に振り分けられている。【００１７】  図１に示すように、表面側の非印刷部分３の縦中央部分に相当する縦非印刷部分３ａの上部には６×６ｍｍの正方形を塗り潰した切り外し位置マーク１１が前印刷によって設けられている。切り外し部６は、切り外し位置マーク１１の上端縁に高さを合わせて設けられている。【００１８】  図１に示すように、カード部２，２・・を左右に振り分けている縦非印刷部分３ａには、縦方向に大きく間隔を設けた基準マーク７Ａ，７Ｂが前印刷によって印刷されている。【００１９】  図２に示すように、裏面側の非印刷部分３の縦中央部分３ａの同じ位置にも、同様の基準マーク８Ａ，８Ｂが前印刷によって印刷されている。
いずれの基準マーク７Ａ，７Ｂ，８Ａ，８Ｂも、黒色を除くカラー色の縦線と横線による６×６ｍｍの白抜きの正方形で前印刷されている。
いずれの基準マーク７Ａ，７Ｂ，８Ａ，８Ｂも、非印刷部分３の縦中央部分３ａの横幅を２分する位置に中心を揃えて設けられている。【００２０】  図１及び図３（ａ）に示すように、表面側の上部側に位置する基準マーク７Ａは、２段目のカード部２と３段目のカード部２とを区切る切り外し部６の横延長仮想線に上端部を揃えて設けられている。【００２１】  図１及び図３（ｂ）に示すように、表面側の下部側に位置する基準マーク７Ｂは、最下段のカード部２とその上のカード部２とを区切る切り外し部６の横延長仮想線に上端部を揃えて位置している。【００２２】図２及び図４（ａ）（ｂ）に示すように、非印刷部分３の裏面側に位置する上部側の基準マーク８Ａと下部側の基準マーク７Ｂも、表面側の基準マーク７Ａ，７Ｂの位置の裏面側に位置している。【００２３】［後印刷］
図１及び図２に示す前印刷をした名刺印刷用紙１Ａを購入した顧客は、パソコンとプリンタを用いて、社員の氏名、役職名、携帯電話番号、会社所在地、会社の電話番号、ファクシミリ番号等を後印刷する。【００２４】  図５は後印刷内容が正確に位置合わせされて後印刷された名刺印刷用紙１Ｂの表面が示されている。図５に示すように、後印刷の位置合わせになる上部側と下部側の確認マーク９Ａ，９Ｂは、基準マーク７Ａ，７Ｂと同じ大きさの白抜きの正方形の太線で後印刷されている。
図５に示すように後印刷内容が正確に位置合わせされて後印刷されていると、確認マーク９Ａが基準マーク７Ａの上に一致した状態で重なり、確認マーク９Ｂが基準マーク７Ｂの上に一致した状態で重なって見える。
図６は上部側の確認マーク９Ａが基準マーク７Ａの上に一致して重なっている状態拡大して示している。【００２５】  図７（ａ）に示すように後印刷に若干の位置ズレがあった場合には、後印刷された文字を見てもどの程度の位置ズレであるのか確認が出来ないが、確認マーク９Ａ（９Ｂ）が基準マーク７Ａ（７Ｂ）から外れた位置にあることで容易且つ正確に確認できる。図７（ｂ）は、上部側の確認マーク９Ａが基準マーク７Ａに対して位置ズレがあることを、より判り易く示している。
図７（ｂ）に示すように、この例では、確認マーク９Ａが基準マーク７Ａよりも、左に１．５ｍｍの位置ズレがあり、上に１．０ｍｍの位置ズレがある状態を示している。これらの位置ズレは、ＪＩＳ−Ｂ７５１４に規定の１級に合格した市販で汎用の金属製の直定規等を用いて基準マーク７Ａと確認マーク９Ａの位置ズレを測定することで、正確に確認できる。このような位置ズレに対しては、パソコンの画面に表示された印刷設定欄にある印刷位置設定を、この位置ズレの数値を加えた修正をすることで、正しい位置の後印刷にプリンタで出力することができる。また、プリンタに用紙が正しくセットされているのか否かについても確認する必要がある。【００２６】  図８（ａ）及び（ｂ）に示すように後印刷に若干の傾きがあった場合にも、確認マーク９Ａと基準マーク７Ａとを見比べると、容易に確認出来る。このような傾きの原因は、プリンタに正しく用紙がセットされていないか、プリンタ内の紙送りローラに問題があるかの２つであり、先ず前者の確認した後、プリンタの紙送りローラの拭き取り清掃をすることで、この傾きの原因を除去することが出来る。【００２７】  図９は、全印刷を終了した後、スクラップ部分である非印刷部３から名刺２０，２０・・・を切り外した状態を示している。【００２８】  本考案に係る名刺印刷用紙１Ａは、以上の各図に示すタイプのものだけでなく、現在市販されているクリアエッジ加工された、名刺になる各カードがスクラップ部分に枠形台紙を介して貼り付けられたタイプのもの（例えば、スリーエムジャパン株式会社製の商品な「Ａ−ｏｎｅ  マルチカード  兼用紙タイプ」に上述した前印刷をしてもよい。
【産業上の利用分野】
【００２９】  本考案に係る名刺印刷用紙は、印刷用紙、文房具等の分野において利用される。
【符号の説明】
【００３０】１Ａ…（前印刷がされた）名刺用紙  １Ｂ…（後印刷がされた）名刺用紙  ２…カード部  ３…非印刷部  ３ａ…（スクラップ部３の）中央縦枠部分  ４…前印刷領域  ５…後印刷予定領域  ６…切り外し部  ７Ａ…（表面上部側の）基準マーク  ７Ｂ…（表面下部側の）基準マーク  ８Ａ…（裏面上部側の）基準マーク  ８Ｂ…（裏面下部側の）基準マーク  ９Ａ…（表面上部側の）確認マーク  ９Ｂ…（表面下部側の）確認マーク  ２０…名刺
【図１】
0003215108.tif 000003
【図２】
0003215108.tif 000004
【図３】
0003215108.tif 000005
【図４】
0003215108.tif 000006
【図５】
0003215108.tif 000007
【図６】
0003215108.tif 000008
【図７】
0003215108.tif 000009
【図８】
0003215108.tif 000010
【図９】
0003215108.tif 000011